(57)【要約】      （修正有）【課題】たこ、乾燥肌又はうおのめを除去及び又は削減するために使用されるペディキュアツールを提供する。【解決手段】ペディキュアツール１は、たこ、乾燥肌又はうおのめを削除又は削減するために、それらを削るための鋭利な環状刃５aの対向する先端を有する長い人間工学的なハウジング２を有している。ペディキュアツール１はまた対向するクリーニング端部１９を有する長い内部のエレメント又はロッド１７を有し、長い人間工学的なハウジング２の外側に直線的且つ機械的に移動され、対向する先端の鋭利な環状刃５aで、たこ、乾燥肌又はうおのめを削ることにより残ったものを洗浄することができる。【選択図】図７
2011041727.tif 000002
【特許請求の範囲】
【請求項１】
対向端部に取り付けられた削り部と内部の長いエレメントとを有する長い人間工学的なハウジングを備えたペディキュアツールであって、前記内部の長いエレメントは対向するクリーニング端部を有し、前記内部の長いエレメントは機械的手段により前記長い人間工学的なハウジングの対向端部から外側に直線状に移動可能であることを特徴とするペディキュアツール。
【請求項２】
前記長い人間工学的なハウジングは長円形状を有し、前記各削り部は円錐形状を有し、通路を有している請求項１に記載のペディキュアツール。
【請求項３】
前記各円錐形状の削り部はその小さい端部に鋭利な環状刃を有している請求項２に記載のペディキュアツール。
【請求項４】
前記内部の長いエレメントは長いロッドである請求項３に記載のペディキュアツール。
【請求項５】
前記各削り部は異なる直径の鋭利な環状刃を有している請求項４に記載のペディキュアツール。
【請求項６】
前記長い人間工学的なハウジングは前記長い人間工学的なハウジングの中央と対向端部との間に一対の間隔を空けた滑らないスリーブを有している請求項５に記載のペディキュアツール。
【請求項７】
前記長い人間工学的なハウジングの前記対向端部の前記各削り部は、前記ペディキュアツールの不使用時にその上に設けられる円錐形状のプロテクターを有している請求項６に記載のペディキュアツール。
【請求項８】
前記長い人間工学的なハウジングは通路を有し、前記機械的手段は、前記通路内に前記内部の長いエレメントと、前記ハウジングに取り付けられてそこから部分的に突出する回転可能な歯のついた車輪とを備え、前記内部の長い直線的に移動可能な可動エレメントと前記回転可能な歯のついた車輪が前記ハウジングの内側にお互いに爪車で連結し、前記削り部の１つの前記通路を通り、且つ前記長い人間工学的なハウジングの前記対向端部の１つを通って外側に、前記対向するクリーニング端部の選択された１つを直線的に移動する請求項７に記載のペディキュアツール。
【請求項９】
前記内部の長いエレメントの前記対向端部のそれぞれが曲成又は湾曲している請求項８に記載のペディキュアツール。
【請求項１０】
前記長く直線的に移動可能な可動エレメントがその底部で歯のついたラックを有する中央の切り取り領域を有し、前記歯のついたラックが前記回転可能な歯のついた車輪と機械的に係合している請求項９に記載のペディキュアツール。
【請求項１１】
前記長く直線的に移動可能な可動エレメントは、前記歯のついたラックの前記中央の切り取り領域の反対側にあり、前記歯のついたラックの前記中央の切り取り領域より高さの低い、別の中央切り取り領域を有し、前記別の切り取り領域は前記歯のついたラックの反対側に刻み目を有し、前記長い人間工学的なハウジングは前記開口内で前記刻み目の反対側に支持される回り止めを有する開口部を備え、前記回り止めは前記回転可能な車輪の非作動中に前記刻み目と内部で係合している請求項１０に記載のペディキュアツール。
【請求項１２】
前記円錐形状の削り部は金属又は金属の合金製である請求項１１に記載のペディキュアツール。
【請求項１３】
前記円錐形状の削り部は鋼又はアルミニウム製である請求項１２に記載のペディキュアツール。
【請求項１４】
前記長い人間工学的なハウジングはプラスチック製である請求項１３に記載のペディキュアツール。
【請求項１５】
前記長い人間工学的なハウジングはアルミニウム、アルミニウム以外の金属、又は金属の合金製である請求項１３に記載のペディキュアツール。
【請求項１６】
前記内部の長い可動エレメント及び前記歯のついた車輪はプラスチック材料製である請求項１５に記載のペディキュアツール。
【請求項１７】
前記内部の長い可動エレメント及び前記歯のついた車輪はアルミニウム、アルミニウム以外の金属、又は金属の合金製である請求項１５に記載のペディキュアツール。
【請求項１８】
前記円錐形状のプロテクターはゴム、プラスチック、又は発泡材製である請求項１６に記載のペディキュアツール。
【請求項１９】
前記長い人間工学的なハウジングの前記対向端部のそれぞれは前記通路内の内部の貫通領域を有し、前記円錐形状の各端部は前記内部の貫通領域と協働する前記削り部の反対側の外部の貫通延長部を有し、前記長い人間工学的なハウジングの対向端部に前記円錐形状の端部を固定する請求項１８に記載のペディキュアツール。
【請求項２０】
前記円錐形状の各端部は機械的手段又は接着剤により前記長い人間工学的なハウジングの各端部に固定されている請求項１８に記載のペディキュアツール。
【請求項２１】
前記長い人間工学的なハウジングは１つの金属片製である請求項２０に記載のペディキュアツール。
【請求項２２】
前記長い人間工学的なハウジングはお互いに固定される幾つかの材料片製であり、一体の長い人間工学的なハウジングを形成している請求項２０に記載のペディキュアツール。
【請求項２３】
前記長い人間工学的なハウジングは、長さが約１３．５ｃｍで、その中間部分の直径が約１．６４ｃｍで、前記円錐形状の端部の１つの前記鋭利な環状刃での直径が約３．４ｍｍで、前記他の円錐形状の端部の前記鋭利な環状刃での直径が約５．３５ｍｍである請求項２０に記載のペディキュアツール。
【請求項２４】
前記内部の長いロッドは約１１．５ｃｍの長さを有し、歯のついたラックの長さが約４．２６ｃｍで、前記クリーニング端部の１つの外径が約５．０ｍｍで、前記反対側のクリーニング端部での外径が約３．０ｍｍである請求項２３に記載のペディキュアツール。
【請求項２５】
前記長い人間工学的なハウジングが通路を有し、前記機械的手段が、前記通路内に前記内部の長いエレメントと、前記ハウジングに取り付けられてそこから部分的に突出する回転可能な歯のついた車輪とを有し、前記内部の長い直線的に移動可能か可動エレメント及び前記回転可能な歯のついた車輪が前記ハウジングの内側にお互いに爪車で連結し、前記削り部の１つの前記通路と通って、前記長い人間工学的なハウジングの前記対向端部の１つを通って外側に、前記対向するクリーニング端部の選択された１つを直線的に移動させる請求項１に記載のペディキュアツール。
【請求項２６】
前記内部の長いエレメントは長いロッドである請求項２５に記載のペディキュアツール。
【請求項２７】
前記長い人間工学的なハウジングは前記長い人間工学的なハウジングの中央と対向端部の間に一対の間隔を空けた滑らないスリープを有している請求項２６に記載のペディキュアツール。
【請求項２８】
前記円錐形状の端部は異なる直径の鋭利な環状刃を有し、前記円錐形状の各端部は異なる直径の鋭利な環状刃を有し、前記長い人間工学的なハウジングと前記円錐形状の端部は通路を有し、前記通路内に長い可動エレメントが延び、前記長い可動エレメントがその対向端部にクリーニング端部を有し、前記クリーニング端部のそれぞれが各円錐形状の端部の外側に移動可能であり、前記長い可動エレメントが機械的集団により前記通路を通って直線的に移動可能であることを特徴とするペディキュアツール。
【請求項２９】
前記長い可動エレメントはロッドの形状を成し、前記ロッドの前記対向するクリーニング端部は前記人間工学的なハウジングの対向端部での前記円錐形状の端部の各鋭利な環状刃の前記直径より僅かに小さい外径を有している請求項２８に記載のペディキュアツール。
【請求項３０】
前記機械的手段は外側に手動で作動するラックとピニオンを有している請求項２８に記載のペディキュアツール。
【請求項３１】
前記機械的手段は、前記長い人間工学的なハウジングの外側に部分的に露出する手動で回転可能な歯のついた車輪と、前記長い可動エレメント内に形成される歯のついたラックとを備え、前記歯のついた車輪及び前記歯のついたラックはお互いに内側で係合する請求項２８に記載のペディキュアツール。
【請求項３２】
前記長い可動エレメントは刻み目を有し、前記回転可能な歯のついた車輪の非作動中に回り止めが前記刻み目に内部で係合する請求項２８に記載のペディキュアツール。
【請求項３３】
前記長い人間工学的なハウジングが長円形状を成している請求項２８に記載のペディキュアツール。
【請求項３４】
前記長い人間工学的なハウジングは前記長い人間工学的なハウジングの中央と対向端部の間に一対の間隔を空けた滑らないスリーブを有している請求項２８に記載のペディキュアツール。
【請求項３５】
前記長い可動ロッドの前記クリーニング端部のそれぞれは曲成又は湾曲している請求項２９に記載のペディキュアツール。
【請求項３６】
前記手動で回転可能な歯のついた車輪は有孔ワッシャーにより前記長い人間工学的なハウジングに固定されている請求項３１に記載のペディキュアツール。
【請求項３７】
前記有孔ワッシャーはネジ、接着剤又は摩擦により前記長い人間工学的なハウジングに固定されている請求項３６に記載のペディキュアツール。
【請求項３８】
前記回り止めは前記ハウジングの開口部内に押し込まれたカバーにより前記長い人間工学的なハウジング内に固定されている請求項３２に記載のペディキュアツール。
【発明の詳細な説明】
【技術分野】
【０００１】
本発明は、たこ、乾燥肌、又はうおのめの除去及び又は削減に関する。
【背景技術】
【０００２】
従来、人間の体、特に人間の足からたこ、乾燥肌、又はうおのめを除去又は削減するためのツールが多数存在する。そのような従来のツールは、やすり、鋭利な刃、或いはそれらを組み合わせたものを有している。従来のやすりは、米国特許第３，１３１，７０１号、米国特許第３，１９６，８８５号、米国特許第３，１９８，１９８号に開示されているように、研磨材料で覆われ又は全体的に粗い面で作られた各種サイズ及び形状の器具である。鋭利な刃を有する幾つかの従来のツールは、米国特許第３，７９７，５０５号、米国出願２００５／００６１３４３、米国出願２００７／０２４４４９１、及び米国特許第６，６０１，５８８号に開示されている。米国特許第４６６，０９７号は、切断する刃と削るやすりの両方を有する、うおのめを取るツールを開示している。本発明は、その人間工学的構造、その独特な円形に切断する刃、及びその全体をクリーニングする器具のため、たこ、乾燥肌、又はうおのめを除去又は削減するために簡単に扱い及び使用することのできるツールである。
【発明の概要】
【発明が解決しようとする課題】
【０００３】
本発明の主な目的は、たこ、乾燥肌、又はうおのめを削減及び又は除去するツールを提供することである。
【課題を解決するための手段】
【０００４】
そのツール（以下、ペディキュアツールと言う。）は、作業領域で作業するため対向端部に削り部を有する長い人間工学的なハウジングと、削り部により作業する領域をその後にクリーニングするための人間工学的なハウジングに関連する可動手段とを有している。主に、本発明のペディキュアツールは足の処置領域に向けられるが、それは、手、肘、膝等からのように、人間の体の他の部分からたこ、乾燥肌、又はうおのめを削減及び又は除去するのみ適用することもできる。
【０００５】
本発明のペディキュアツールを使用する他の目的及び利点は添付した図面が一部を形成する以下の説明を参照することにより明らかになるだろう。
【図面の簡単な説明】
【０００６】
【図１】ペディキュアツールの側面図である。
【図２】ペディキュアツールの平面図である。
【図３】図２に示されているペディキュアツールの右側面図である。
【図４】図２に示されているペディキュアツールの左側面図である。
【図５】ペディキュアツールの他の側面図である。
【図６】ペディキュアツールの底面図である。
【図７】図１のライン７−７に沿って切断したペディキュアツールの拡大断面図である。
【図８】両端部に円錐形状のプロテクターを有する図７に示されているペディキュアツールの断面図である。
【図９ａ】図２に示されているペディキュアツールの右端部の円錐形状の削り部を示す斜視図である。
【図９ｂ】図２に示されているペディキュアツールの右端部の円錐形状の削り部を示す断面図である。
【図１０ａ】図２に示されているペディキュアツールの左端部の円錐形状の削り部を示す斜視図である。
【図１０ｂ】図２に示されているペディキュアツールの左端部の円錐形状の削り部を示す断面図である。
【図１１】ペディキュアツールのハウジングの周りの滑らない１つのスリーブを示す側面図及び端面図である。
【図１２】図８に示されているペディキュアツールの一端部の円錐形状のプロテクター削り部を示す斜視図である。
【図１３】図７に示されている噛み合うラックを有する長い可動ロッドの斜視図である。
【図１３ａ】図１３に示されている長い可動ロッドの図１３ｂのライン１３ａ−１３ａで切断した断面図である。
【図１３ｂ】図１３に示されている長い可動ロッドの平面図である。
【図１３ｃ】図１３に示されている長い可動ロッドの側面図である。
【図１３ｄ】図１３に示されている長い可動ロッドの底面図である。
【図１４】図７に示されている回転可能な歯のついた又はへこんだ車輪の斜視図である。
【図１５】図１４に示されている回転可能な歯のついた又はへこんだ車輪の平面図である。
【図１６ａ】図７に示されているハウジング内の回転可能な歯のついた又はへこんだ車輪を締めるために使用されるワッシャーを示す底面図である。
【図１６ｂ】図７に示されているハウジング内の回転可能な歯のついた又はへこんだ車輪を締めるために使用されるワッシャーを示す平面図である。
【図１６ｃ】図７に示されているハウジング内の回転可能な歯のついた又はへこんだ車輪を締めるために使用されるワッシャーを示す側面図である。
【図１７】図７に示されている回転可能な車輪の反対側のハウジングに挿入される回り止めの平面図、側面図、及び底面図である。
【図１８】図７に示されている回り止めのカバーを示す平面図及び側面図である。
【図１９】ペディキュアツールのハウジングの凹状開口部に回転可能な歯のついた車輪及びワッシャーの連続的な間隔の空いた関係の設置を示す図である。
【図２０】ペディキュアツールのハウジングの反対側の凹状開口部に回り止め及びカバーの連続的な間隔の空いた関係の設置を示す図である。
【図２１】分解した配列で本発明のペディキュアツールの構成を示す図である。
【図２２】人間工学的なハウジングの左端部から外側に延びる可動ロッドのクリーニング端部を有する本発明のペディキュアツールの側面図である。
【図２３】人間工学的なハウジングの右端部から外側に延びる可動ロッドのクリーニング端部を有する本発明のペディキュアツールの側面図である。
【発明を実施するための形態】
【０００７】
図１〜８を参照する。本発明のペディキュアツールは一般的な長円形状の長い人間工学的なハウジング２を有している。長い人間工学的なハウジング２は内部通路３とその対向端部の円錐形状の先端４，５を有している。図９ｂ及び１０ｂに最も良く示されているように、各円錐形状の先端４，５は、内部通路と、そのより細い端部６及び７の鋭利な環状刃とを有しており、それぞれ、たこ、乾燥肌、又はうおのめを削るために使用される。円錐形状の先端５のそのよい細い端部７の鋭利な環状刃５ａは、より大きな領域を削るため、反対側の円錐形状の先端４のより細い端部の鋭利な環状刃４ａより大きな直径を有し、反対側の円錐形状の先端４のより細い端部６の鋭利な環状刃４ａのより細い直径はより小さい又は難しい領域に届くようにするために使用される。各円錐形状の先端４，５はそれが悪い皮膚領域に作用し、良い皮膚領域を滑るように構成されている。長い人間工学的なハウジング２の各端部は内部の細い部分８，９を有している。各円錐形状の先端４，５は、それぞれ、長い人間工学的なハウジング２の各内側の細い部分８，９と協働するため、反対側の各細い端部６，７に細く延出する部分１０，１１を有しており、各円錐形状の先端４，５が長い人間工学的なハウジング２に取り付けできるようになっている。長い人間工学的なハウジング２への細いタイプの取付は円錐形状の先端４，５のために開示されているが、接着又は摩擦等により取り付ける他の方法が使用されてもよい。円錐形状の先端４，５は、鋼等の頑強な金属製であることが好ましいが、他の金属（例えば、アルミニウム）又は合金も使用可能である。長い人間工学的なハウジング２は図７に示されているような単一の金属片製であるのが好ましいが、一緒に取り付けられる複数の材料片製であってもよい。長い人間工学的なハウジング２はプラスチック製であるのが好ましいが、アルミニウム、他の金属、又は合金製であってもよい。長い人間工学的なハウジング２は、長さが約１３．５ｃｍ、その中間部分の直径が約１．６４ｃｍである。円錐形状の鋭利な先端４のより細い端部６の鋭利な環状刃４ａは約３．４ｍｍの直径を有し、円錐形状の先端５のより細い端部７の鋭利な環状刃５ａは約５．３５ｍｍの直径を有している。上記寸法が好ましいが、他の実用的な寸法も使用可能である。長い人間工学的なハウジング２はその両側に滑らないスリーブ１２，１３を有している。滑らないスリーブ１２，１３はゴム、プラスチック又は発泡材製であってもよく、弾性の圧力又は摩擦により人間工学的なハウジング２の外側に取り付けられる。滑らないスリーブの１つの側面図及び端面図が図１２に示されている。図８に示されているように、本発明のペディキュアツールは、不使用時に円錐形状の先端４，５の鋭利な環状刃を損傷から保護するため、人間工学的なハウジング２の対向端部に円錐形状のプロテクターを備えていてもよい。図１１は円錐形状のプロテクターの１つを示す側面図及び端面図である。円錐形状のプロテクター１４，１５はプラスチック材料製であることが好ましいが、アルミニウム又は他の金属又は他の金属の合金も使用可能である。
【０００８】
図７，１３〜１８を参照する。本発明のペディキュアツール１の人間工学的なハウジング２は長い可動エレメント１７を有する内部通路３を有している。可動エレメント１７の対向端部は、いずれかが円錐形状の先端４又は５の外側に移動する時にクリーニングエレメント１８及び１９を構成する。内部の長い可動エレメント１７は、歯のついた又はへこんだ車輪２０及び内部の可動エレメント１７の一部分として形成される歯のついた又はへこんだラック２２の形式のラック・ピニオン機構により右又は左に直線的に移動可能である。長い可動エレメント１７はその中間部分に切り取った領域２１を有するロッドの形状をしているのが好ましい。切り取った領域２１の底部は歯のついた車輪２０と接触する歯のついたラック２２を有している。長いエレメント又はロッド１７は、長さが約１１．５ｃｍ、クリーニング端部１８での直径が約５．０ｍｍ、クリーニング端部１９での直径が約３．０ｍｍ、切り取った領域２１の近傍部分の直径が約５．８ｍｍとなっている。歯のついたラック２２の長さは約４．２６ｃｍである。上記寸法が好ましいが、他の実用的な寸法も使用可能である。歯のついた車輪２０はペディキュアツール１のハウジング２の上方に部分的に露出しており、長いエレメント又はロッド１７が右又は左に直線的に移動可能なように手動で回転可能であり、円錐形状の先端４又は５の外側にクリーニングエレメント１８又は１９を露出させるようになっている。可動ロッド又はエレメント１７の対向端部のクリーニングエレメント１８及び１９は曲成又は湾曲しているのが好ましく、たこ、乾燥肌、又はうおのめが円錐形状のいずれかの先端４又は５により取られた後に使用される。内部の可動ロッド又はエレメント１７は、各円錐形状の先端４又は５の異なる内径を有する通路を通って適応すると共に移動するために長いハウジング２の対向端部に異なる直径を有している。長いハウジング２は内部の通路を規定する内部の周壁２３を有している。内部の可動エレメント又はロッド１７は、歯のついたラック２２及び歯のついたラック２２の反対側のより細い切り取った領域２４の周の近接領域により大きな外径を有している。そのより大きな外径を有する内部の可動エレメント又はロッド１７の領域は内部の周壁２３にスライド可能に係合している。より細い切り取った領域２４のほぼ中間点には、内部の可動ロッド又はエレメント１７に刻み目又は溝２５がある。この刻み目又は溝２５は回り止め３７から延びるタブ３７ａを受け入れ、歯のついた車輪２０が作動していない間、可動エレメント又はロッド１７を移動しない状態に保持するのに十分だが、歯のついた車輪２０が作動している時にロッド１７の直線的な移動を妨げるのに不十分な可動エレメント又はロッド１７に僅かな圧力を与える。カバー３８は回り止め３７上で長いハウジング２に挿入され、カバー３８は回り止め３７に僅かな圧力を掛ける。内部の長い可動ロッド又はエレメント１７及び歯のついた車輪２０はプラスチック材料製であるのが好ましいが、アルミニウム又は他の金属又は金属の合金製であってもよい。
【０００９】
図７、１４〜１９を参照する。歯のついた又はへこんだ車輪２０は図１４及び１５に示されているように歯のついた車輪２０の対向端部及び中央に固定ピン２０ａ及び２０ｂを有している。図１９に示されているように、人間工学的なハウジング２の中央領域に開口部２９があり、開口部２９内に凹部３０がある。凹部３０は対向して配置された回転可能な車輪２０の固定ピン２０ａ及び２０ｂを受け入れるために対向して配置された一対の溝３２及び３３を有している。凹部３０は回転可能な車輪２０の一部分を挿入させるための大きな開口部３１を有している。凹部３０はまた幾つかの間隔の空いた孔３４をも有している。中央の開口部３６を有するワッシャー又はカバー３５はハウジング２の開口部２９内に係合すると共に回転可能な車輪２０の上部に配置されるような大きさを有している。ワッシャー又はカバー３５は底部側から延びる幾つかの間隔の空いたピン３５ａ（図１６ｃ）を有し、ピン３５ａは凹部３０の幾つかの間隔の空いた孔３４に係合する。ワッシャー又はカバ−３５の底部側は対向して配置される溝３５ｂ（図１６ａ）をも有し、それは回転可能な車輪２０に対向して配置されたピン２０ａ及び２０ｂ上に係合する。歯のついた車輪２０は人間工学的なハウジング２の開口部２９に挿入され、ピン２０ａ及び２０ｂは凹部３０の溝３２及び３３に取り付けられている。凹部３０及び溝３２及び３３の深さは、歯のついた又はへこんだ車輪２０の一部分が長いハウジング２の上に露出すると共に、歯のついた又はへこんだ車輪２０の一部分の歯が図７に示されているように歯のついたラック２２と係合するのに十分なように設定されている。凹部３０はまた複数の間隔の空いた孔３４を有していてもよい。ワッシャー又はカバー３５は、人間工学的なハウジング２の開口部２９内に適合可能な形状及びサイズを有しており、人間工学的なハウジング２の上方に歯のついた車輪２０を露出させる開口部を有している。ワッシャー又はカバー３５はその下側から延びる複数の間隔の空いたピン３５ａを有しており、ピン３５ａは凹部３０に押圧された時に凹部３０に複数の間隔の空いた孔３４に挿入される。ワッシャー３５又はカバーの目的は、人間工学的なハウジング２に対する位置に歯のついた又はへこんだ車輪２０を維持することがであり、長いエレメント又はロッド１７のクリーニング端部１８又は１９のいずれかを使用することを望む時に車輪２０はが自由に回転することができるようになっている。
【００１０】
図７，１７，１８及び２０を参照する。ペディキュアツール１が使用されていない時に内部の長いエレメント又はロッド１７が直線的に移動するのを防止するため、延びるタブ又は舌片部３７ａが使用される。歯のついたラック２２の反対側に歯のついたラック２２の切り取り部２１の深さより深さが浅い別の切り取り部２４がある。この小さい切り取り部２４のほぼ中間点には、図７に示されているように、長いエレメント又はロッド１７のほぼ中心点に刻み目又は溝２５がある。図２０に示されているように、人間工学的なハウジング２の壁（の開口部２９の反対側）に別の開口部４０と凹部４１がある。凹部４１内には、そこから上方に延びる一対の対向ピン４２ａ及び４２ｂを有する別の凹部４２がある。また、凹部４２内には、回り止め３７（図１７）の底部側から延びるタブ又は舌片部３７ａの挿入を可能にする別の開口部４３がある。回り止め３７の頂部側はそれぞれそこを通過する孔３７ｃ，３７ｃを有する対向する高い端部３７ｂ，３７ｂを有している。カバー（図１８）は回り止め３７上で開口部４０に押し下げられ、回り止め３７は孔３７ｃ及び３７ｃを有する凹部４２に押し下げられ、凹部４２の各ピン４２ｂ及び４２ｂ上に適合する。同時に、回り止め３７のタブ又は舌片部３７ａ（図２０に僅かに示されているが、図７に明瞭に示されている。）はペディキュアツール１の長いエレメント又はロッド１７の刻み目又は溝２５に挿入される。上述したように、回り止め３７は長いエレメント又はロッド１７に僅かだけの圧力を与え、回転可能な車輪２０が手動で作動される時に長いエレメント又はロッド１７の直線的な移動を妨げない。回り止め３７の目的は、ペディキュアツール１が使用されていない時に長いエレメント又はロッド１７の移動を防止することである。
【００１１】
図２１はペディキュアツール１の各種構成及びその構成がどのように組立てられるかを示している。
（作用）
たこ又はうおのめを削除するため、本発明のペディキュアツールが使用される。大きなサイズのたこ又はうおのめには、通常、より大きな直径の先端を有する円錐形状の先端４が使用され、大きなサイズのたこ又はうおのめには、より小さな直径の先端を有する円錐形状の先端５が使用される。いずれの場合にも、円錐形状の先端は、いずれかが完全に除去されるか又は少なくとも削減されるまで、たこ又はうおのめを削るために使用される。乾燥肌の領域には、通常、乾燥肌のサイズに従って、円錐形状のいずれかの先端４又は５が使用される。削る段階の後、長いエレメント又はロッド１７のクリーニング端部１８又は１９が使用され、削る処理により残ったものを掃除する。これは、より大きい直径のクリーニング端部１９を使用するため、長いエレメント又はロッド１７を左に直線的に移動するような方向（図２２参照）、又はより小さい直径のクリーニング端部１８を使用するため、右の方向に（図２３）、歯のついた車輪２０を手動で回転させることにより達成される。
【００１２】
本発明の変形は当業者であれば容易に明らかであり、それは本発明がここに開示された実施の形態によって限定される趣旨ではないが、本発明の範囲は添付した特許請求の範囲により定義される趣旨である。
【図１】
2011041727.tif 000003
【図２】
2011041727.tif 000004
【図３】
2011041727.tif 000005
【図４】
2011041727.tif 000006
【図５】
2011041727.tif 000007
【図６】
2011041727.tif 000008
【図７】
2011041727.tif 000009
【図８】
2011041727.tif 000010
【図９ａ】
2011041727.tif 000011
【図９ｂ】
2011041727.tif 000012
【図１０ａ】
2011041727.tif 000013
【図１０ｂ】
2011041727.tif 000014
【図１１】
2011041727.tif 000015
【図１２】
2011041727.tif 000016
【図１３】
2011041727.tif 000017
【図１３ａ】
2011041727.tif 000018
【図１３ｂ】
2011041727.tif 000019
【図１３ｃ】
2011041727.tif 000020
【図１３ｄ】
2011041727.tif 000021
【図１４】
2011041727.tif 000022
【図１５】
2011041727.tif 000023
【図１６ａ】
2011041727.tif 000024
【図１６ｂ】
2011041727.tif 000025
【図１６ｃ】
2011041727.tif 000026
【図１７】
2011041727.tif 000027
【図１８】
2011041727.tif 000028
【図１９】
2011041727.tif 000029
【図２０】
2011041727.tif 000030
【図２１】
2011041727.tif 000031
【図２２】
2011041727.tif 000032
【図２３】
2011041727.tif 000033